(57)【要約】【課題】クレセント錠の他に簡単な構造の補助ロックを取り付けることで侵入に手間がかかり、侵入盗被害の防止に効果的な引違いサッシの提供を目的とする。【解決手段】外障子召合框はパネル嵌合溝と煙り返し片との間に内障子召合框側が開口する受け部を有し、内障子召合框は中空状の本体部の室内側面の幅方向中央に操作摘み用孔を有し、補助ロックは、内障子召合框に取付けてあり、操作部材とケースとデッドボルトとを備え、操作部材は操作摘みとデッドボルトの先端部を外障子召合框の受け部に向けて出没するのを案内する案内部とを備え、デッドボルトは操作部材の案内部の動きによって従動する被案内部を備えていることを特徴とする。【選択図】  図１
2006144403.tif 000002
【特許請求の範囲】
【請求項１】
補助ロックを備え、
外障子召合框は、パネル嵌合溝と、煙り返し片を備え、パネル嵌合溝と煙り返し片との間に内障子召合框側が開口する受け部を有し、
内障子召合框は、中空状の本体部と、本体部の外障子召合框のパネル嵌合溝側とは反対側にパネル嵌合溝と、パネル嵌合溝の室外側に煙り返し片と、外障子召合框側に向けてタイト材ホルダー部とを備え、本体部の室内側面の幅方向中央に操作摘み用孔を有し、
補助ロックは、内障子召合框に取付けてあり、操作部材とケースとデッドボルトとを備え、
操作部材は、本体部と本体部から室内側に突出して内障子召合框の操作摘み用孔内に位置する操作摘みとデッドボルトの先端部が外障子召合框の受け部に向けて出没するのを案内する案内部とを備え、
ケースは、操作部材の本体部を上下動自在に収納する収納部と収納部の室内側に設けた操作摘み突出用孔と収納部の室外側に設けたデッドボルト突出用孔とデッドボルトを保持するデッドボルト保持部とを備え、
デッドボルトは、操作部材の案内部の動きによって従動する被案内部を備えていることを特徴とする引違いサッシ。
【請求項２】
操作部材の本体部には上下方向の長孔が設けてあり、デッドボルトはデッドボルト保持部を保持軸で形成し、ケースに回転自在に保持してあり、保持軸は操作部材の長孔内に位置し、
デッドボルトには被案内部を被案内長孔で形成し、被案内長孔は保持軸と離れた位置で長軸が保持軸と同一線上に延びており、
操作部材の本体部には案内部を案内ピンで形成し、案内ピンはデッドボルトの被案内長孔内に位置していることを特徴とする請求項１記載の引違いサッシ。
【請求項３】
操作部材の本体部には案内部を傾斜案内面で形成し、傾斜案内面は外障子召合框に向かって下降しており、
デッドボルトの被案内部を室内側に操作部材の傾斜案内面と当接する被案内面で形成し、デッドボルトは、ケース内に没するように付勢してケースのデッドボルト突出用孔で保持してあることを特徴とする請求項１記載の引違いサッシ。
【請求項４】
外障子召合框の受け部が、召合框の長て方向にわたって形成した受け溝であることを特徴とする請求項１〜請求項３のいずれかに記載の引違いサッシ。
【発明の詳細な説明】
【技術分野】
【０００１】
本発明は補助ロック付の引違いサッシに関する。
【背景技術】
【０００２】
警察庁によると、住宅における侵入盗被害は増加の一途をたどり、発生件数は２００２年で前年比１７％増の約１８万件を数え、１０年前の１．５倍に増えている。
侵入の手口で最も多いのが窓からであり、侵入盗はサッシのガラスを破って解錠し、侵入している。
財団法人都市防犯研究センターのデータによれば、侵入者が嫌うのは侵入に時間がかかることであり、侵入に２〜５分かかると約７０％が犯行をあきらめるとの報告がある。
【０００３】
窓からの侵入を防ぐ手段として、ガラスを破れないようにした合わせガラスが提案されている。
しかし、防犯性は高いものの高価であり場合によってはサッシ本体よりも高く、市場における採用度は低い。
そこで、クレセント錠の他に補助ロックを取り付けたり、クレセント錠に代わるロック装置の提案もある。
例えば、クレセント錠の代わりに障子の閉鎖に伴って自動的に障子が施錠される技術を実開平７−３８５１０号公報に開示する。
この技術は、内障子の召合框から外障子側の召合框に突出する係止ロッドを備えるものである。
しかし、この技術は係止ロッドが常にロック方向にばね付勢されているので、障子を閉じればその都度ロックされるので、係止ロッドを室内側に抜き出しながらでないと障子を開けられないという問題がある。
【０００４】
【特許文献１】実開平７−３８５１０号公報
【発明の開示】
【発明が解決しようとする課題】
【０００５】
本発明は上記背景に鑑みて、クレセント錠の他に簡単な構造の補助ロックを取り付けることで侵入に手間がかかり、侵入盗被害の防止に効果的な引違いサッシの提供を目的とする。
特に、補助ロックそのものの存在を分かりにくくし、侵入に要する時間が大幅にかかることになり、侵入をあきらめさせるようにしたものである。
【課題を解決するための手段】
【０００６】
本発明に係る引違いサッシは、補助ロックを備え、外障子召合框は、パネル嵌合溝と、煙り返し片を備え、パネル嵌合溝と煙り返し片との間に内障子召合框側が開口する受け部を有し、内障子召合框は、中空状の本体部と、本体部の外障子召合框のパネル嵌合溝側とは反対側にパネル嵌合溝と、パネル嵌合溝の室外側に煙り返し片と、外障子召合框側に向けてタイト材ホルダー部とを備え、本体部の室内側面の幅方向中央に操作摘み用孔を有し、
補助ロックは、内障子召合框に取付けてあり、操作部材とケースとデッドボルトとを備え、操作部材は、本体部と本体部から室内側に突出して内障子召合框の操作摘み用孔内に位置する操作摘みとデッドボルトの先端部が外障子召合框の受け部に向けて出没するのを案内する案内部とを備え、ケースは、操作部材の本体部を上下動自在に収納する収納部と収納部の室内側に設けた操作摘み突出用孔と収納部の室外側に設けたデッドボルト突出用孔とデッドボルトを保持するデッドボルト保持部とを備え、デッドボルトは、操作部材の案内部の動きによって従動する被案内部を備えていることを特徴とする。
ここで、操作部材にデッドボルトの先端部が外障子召合框の受け部に向けて出没するのを案内する案内部を備えた趣旨は、操作部材の上下動の動きをデッドボルトに備えた被案内部に連動させて、デッドボルトの先端部を外障子召合框の受け部に挿入することで障子をロックする点にある。
【０００７】
請求項２記載の発明の技術的要旨は、操作部材の本体部には上下方向の長孔が設けてあり、デッドボルトはデッドボルト保持部を保持軸で形成し、ケースに回転自在に保持してあり、保持軸は操作部材の長孔内に位置し、デッドボルトには被案内部を被案内長孔で形成し、被案内長孔は保持軸と離れた位置で長軸が保持軸と同一線上に延びており、操作部材の本体部には案内部を案内ピンで形成し、案内ピンはデッドボルトの被案内長孔内に位置していることを特徴とする。
【０００８】
請求項２に記載の発明により、操作部材を室内側から上下操作する動きに連動して、デッドボルトが回転動作し、デッドボルトの先端部が外障子の受け部に向けて出没動作する。
使用者が操作部材を上下動作すると、操作部材はケースに設けた保持軸に対しては保持軸が長孔内を上下に移動するため干渉しないが、操作部材に設けた案内ピンがデッドボルトの被案内長孔に通った状態で上下するため、デッドボルトは保持軸を回転軸とし、案内ピンの移動方向へ回転しようとする。
デッドボルトの被案内長孔を、保持軸の中心軸と被案内長孔の長軸が同一線上となる形状とすることで、案内ピンの上下動作がデッドボルトの回転動作を案内するように作用し、操作部材の上下動作と連動してデッドボルトが回転し、外障子召合框の受け部に向けてデッドボルトが出没動作する。
【０００９】
請求項３記載の発明の技術的要旨は、操作部材の本体部には案内部を傾斜案内面で形成し、傾斜案内面は外障子召合框に向かって下降しており、デッドボルトの被案内部を室内側に操作部材の傾斜案内面と当接する被案内面で形成し、デッドボルトは、ケース内に没するように付勢してケースのデッドボルト突出用孔で保持してある点である。
【００１０】
操作部材の操作によるデッドボルトの出没動作は、デッドボルトを没入方向に弾性部材にて付勢し、操作部材とデッドボルトとを対向させて配置して互いの対向部分を傾斜面とし、操作部材の上下動作による力をデッドボルトの突出方向の動きに変換したことによる。
【００１１】
請求項４記載の発明の技術的要旨は、外障子召合框の受け部が、召合框の長て方向にわたって形成した受け溝である点である。
外障子召合框をアルミ押出形材で製作すると、容易に長手方向にわたって受け溝を形成できる。
【発明の効果】
【００１２】
本発明においては、デッドボルトが内障子召合框の煙り返し片とタイト材ホルダー部との間から外障子の召合框の受け部内に出没自在となっているので、召合框の見込み幅を大きくすることなく召合框が具備すべき構造をすべて備え、しかも操作部材を内障子召合框の略中央に位置させることができるので操作部材によってサッシの外観を損なうことがない。
また、操作部材は内障子召合框の室内側面の幅方向略中央に位置して、デッドボルトの出没を操作するものであるので、操作摘みの位置を外部から確認することができず、防犯上有効である。
【００１３】
また、外障子側においてデッドボルトを嵌め込み係合させる受け部として内障子召合框側が開口する受け溝を外障子召合框の長手方向にわたって有すると、内障子召合框のケース取付け用の切り欠きを位置（高さ）を変更することで、補助ロックの取付位置を簡単に変更できるので、ロット毎に補助ロックの高さが異なるサッシを製造することが可能であり、侵入者に補助ロックの高さ位置を推測される心配がない。
【発明を実施するための最良の形態】
【００１４】
本発明に係る引違いサッシの例を図２に示し、図２（イ）が補助ロック施錠状態で、図２（ロ）が補助ロック解錠状態を示す。
躯体の開口部に縦枠１、２と図示を省略したが、上枠、下枠で枠体を形成し、その枠体内に外障子１０と内障子２０からなる引違い障子を装着している。
外障子１０は、戸当框１１と召合框１２及び図示を省略したが上框、下框で枠を形成し、その枠内にガラス等のパネル１３を装着している。
内障子２０も同様に、戸当框２１と召合框２２及び図示を省略したが上框、下框で枠を形成し、その枠内にガラス等のパネル２３を装着している。
【００１５】
戸当框側は、外枠（縦枠）との間にタイト材１ａ、２ａを配設して気密性を確保している。
【００１６】
次に、召合せ部の構造を説明する。
図２に示すように、外障子１０の召合框１２は、パネル１３の一端を装着するパネル嵌合溝１２ｃと、煙り返し片１２ｄを備え、このパネル嵌合溝１２ｃと煙り返し片１２ｄの間に内障子召合框側が開口する受け溝（受け部）１２ａを外障子の召合框１２の上下長手方向にわたって形成している。
内障子２０の召合框２２は、パネル２３の一端を装着するパネル嵌合溝２２ｃとパネル嵌合溝２２ｃの室外側に煙り返し片２２ｂを有し、外障子召合框１２の対向面であって外障子召合框のパネル嵌合溝１２ｃ側にはタイト材ホルダー部２２ａを設けてタイト材２２ｆを取り付けて召合せ部の気密性を確保している。
なお、このタイト材ホルダー部は召合わせ部における外障子の框と内障子の框の間の気密性を確保するためのタイト材を取り付けるのが目的であり、実施例のように内障子側に設けても良いが、外障子側に設けてもよく、あるいは両方に設けても良い。
同様に、タイト材ホルダー部と煙り返し片の配置関係も実施例に限定する必要はなく、デッドボルト４２の横付近にタイト材ホルダー部と煙り返し片を隣接しても良く、さらには召合框見込み面から煙り返し片を設けても良いが、補助ロック４０を召合わせ部の概ね室内側幅方向中央部に配設するには実施例のように、デッドボルト４２を内障子召合框の煙り返し片２２ｂとタイト材ホルダー部２２ａとの間から外障子の召合框の受け溝１２ａ内に出没自在となるように配設すると良い。
【００１７】
補助ロック４０の内障子召合框２２への取付け状態の斜視図を図１に示し、部品構成図を図３、図４に示し、召合わせ部補助ロック部の横断面を図５に、縦断面を図６にそれぞれ示す。
図１では説明のためにケース４３と操作部材４１の一部を切り欠いて描いてある。
図４では補助ロックの操作部材４１を組み立てて、操作部材４１内にデッドボルト４２を収納した状態を示している。
図１において補助ロック４０は、内障子召合框２２の中空状の本体部２２ｄ内に収納して取付けてある。
補助ロック４０は、操作部材４１とデッドボルト４２とを備え、これらを収納したケース４３を備え、摘み用孔４４ａを設けた化粧部材４４を、図４に示す室内側の操作摘み用孔２２ｅに備えている。
操作部材４１は、本体部４１ａと本体部４１ａから室内側に突出して内障子召合框２２の操作摘み用孔２２ｅ内に位置する操作摘み４１ｃと本体部４１ａに設けたデッドボルト案内部である案内ピン４１ｄを備えている。
操作摘み４１ｃは使用者が操作出来るように、化粧部材４４の摘み用孔４４ａから室内側へ向けて突出している。
【００１８】
操作部材４１とケース４３は図３、図４の組み立て図では、操作部材４１の本体部４１ａは左右の筐体部４１ｆ、４１ｇを組み合わせ、ケース４３は左右の筐体部４３ｆ、４３ｇを組み合わせ、それらを溶接や接着等の接合手段を用いて接合する例を示しているが、操作部材４１とケース４３は成型等を用いて一体で形成してもよく、その形成方法は限定されるものではない。
ケース４３は、ビス等の係止部材４５で内障子召合框側に取り付けている。
【００１９】
図４に示すように、操作部材４１の本体部４１ａには外障子側に操作部材開口部４１ｉで開口した中空状のデッドボルト収納部４１ｅを備えてデッドボルト４２を収納している。
また本体部４１ａには、左右の側面を上下方向にスリット状に切り欠いた長孔４１ｂと、左右の側面に穿った案内ピン用孔４１ｈを設けている。
図１に示すように、ケース４３は操作部材４１の本体部４１ａを上下動自在に収納する中空状の収納部４３ａを備えている。
そして、収納部４３ａの室内側に操作摘み突出用孔４３ｂと収納部４３ａの室外側にデッドボルト突出用孔４３ｃとを形成し、デッドボルト４２を外障子の召合框側に突出自在にケース４３に保持するためのデッドボルト保持部として、デッドボルト保持軸４３ｄを備えている。
図４において、デッドボルト保持軸４３ｄは操作部材４１の長孔４１ｂを通り、図３に示すデッドボルト４２の保持軸用孔４２ｃに挿入してデッドボルトを回転自在に軸着して保持している
デッドボルト４２は、被案内部であるデッドボルト被案内長孔４２ｂを、図６に示すように保持軸４３ｄから外障子側に離れた位置に、保持軸４３ｄと同方向に穿孔して備えている。
そして、操作部材４１の案内ピン４１ｄをデッドボルト被案内長孔４２ｂに挿通している。
【００２０】
操作部材４１は、使用者が操作摘み４１ｃを摘み、ケース４３内で上下動させることにより、案内ピン４１ｄがデッドボルト４２の被案内長孔４２ｂを案内し、操作部材４１の上下動に従動させようとする。
しかし、デッドボルト４２がケース４３に保持軸４３ｄにて軸着しているため、案内ピン４１ｄはデッドボルト４２を保持軸４３ｄを回転軸とする回転をさせるように案内する。
デッドボルト４２の被案内長孔４２ｂは、その切り欠き形状を保持軸４３ｄの中心軸から引いたＢ線と、図３に示す被案内長孔４２ｂの開口形状の長軸線Ａと同一線上となる形状としている。
よって、操作部材４１を上下動させることによる案内ピン４１ｄの上下動作は、デッドボルト４２の回転動作を被案内長孔４２ｂの長軸方向に逃げながら案内するように作用し、デッドボルトを回転させて外障子の召合框側に向けて出没動作させることが出来る。
これにより、操作摘み４１ｃを操作することでデッドボルト４２は図１に示す、外障子１０の召合框１２の受け溝１２ａ内に挿入自在となっている。
【００２１】
図５、図６に示すように、操作摘み４１ｃを上に操作すると施錠状態のデッドボルト４２を突出させて先端部４２ａを外障子の召合框１２の受け溝１２ａ内に挿入させた状態となり、操作摘み４１ｃを下に操作すると解錠状態のデッドボルト４２をケース４３内に没入させた状態となる。
デッドボルト４２を受け溝１２ａに入れて外障子１０をロックさせた状態は図１２に示すように、デッドボルト４２も操作部材４１も、また化粧部材４４も、外部からは視線を（ａ）、（ｂ）、（ｃ）とずらしたとしても見えない為、デッドボルト４２によりロックを施してあること自体を隠蔽している。
このため、ガラスを割ってクレセント錠を解錠しても何故、障子が開かないのか判らなくなり気が焦り侵入を諦めることが期待できる。
図１３に内障子召合框２２の見付け側の両面を室内側へ延在させて遮蔽部２２ｇを形成し、この遮蔽部２２ｇにより操作部材４１及び化粧部材４４の隠蔽性を高めた引違いサッシの実施例を示す。
【００２２】
操作部材とデッドボルトを別の形状とした実施例の召合わせ部の斜視説明図を図７に、組み立て図を図８に、横断面図を図９に、縦断面図を図１０に示す。
図７では説明のためにケース５３の一部を切り欠いて描いてある。
操作部材５１の本体部５１ａには案内部である傾斜案内面５１ｅが設けてあり、傾斜案内面５１ｅは、図１０に示すように外障子召合框１２に向かって下降している。
デッドボルト５２の室内側には操作部材５１の傾斜案内面５１ｅと当接する被案内面５２ｂを有している。
デッドボルト５２は、ケース５３のデッドボルト突出用孔５３ｃの縁部をケース５３内側に向けてリブ状に突出させた弾性部材保持部５３ｄに、その室外側端部を取り付けた弾性部材（スプリング）５４で保持してある。
図１０ではわかりやすくするために、弾性部材５４とデッドボルト５２は外観を描いている。
この弾性部材５４はデッドボルト５２をケース５３内に没するようにバネ付勢して保持している。
図９、図１０に示すように、操作部材５１を上向きに操作すると、操作部材５１の傾斜案内面５１ｅのデッドボルト５２の高さ相当部分は外障子召合框１２側へ前進し、デッドボルト５２の被案内面５２ｂが押されてデッドボルト５２が受け溝１２ａへ向けて突出動作し、操作部材５１を下向きに操作すると傾斜案内面５１ｅのデッドボルト５２の高さ相当部分は室内側に向けて後退し、それに伴いデッドボルト５２は弾性部材５４の復元動作によってケース５３内へ没入動作する。
【００２３】
図１１に外障子召合框１２ｅの内障子召合框２２側を切り欠いて、受け部（凹み状の受け部）１２ｂを設け、デッドボルト４２をこの受け部１２ｂの凹み部分に出入させる引違いサッシの障子召合せ部の例を示す。
このように、本発明に係る補助ロックは既存のほとんどのサッシ仕様に組み込むことができ、非常に安価に、防犯性を向上できる。
【図面の簡単な説明】
【００２４】
【図１】本発明に係る引違いサッシの補助ロック部の斜視説明図を示す。
【図２】本発明に係る引違いサッシの横断面図を示す。
【図３】補助ロックの構成部品を示す。
【図４】操作部材を組み立てた補助ロックの構成部品を示す。
【図５】障子召合わせ部の補助ロック部横断面図を示す。
【図６】障子召合わせ部の補助ロック部縦断面図を示す。
【図７】補助ロックの他の実施例の障子召合部における斜視説明図を示す。
【図８】補助ロックの他の実施例の構成部品を示す。
【図９】補助ロックの他の実施例の障子召合わせ部の横断面図を示す。
【図１０】補助ロックの他の実施例の障子召合わせ部の縦断面図を示す。
【図１１】受け溝を受け部とした補助ロックの障子召合わせ部の横断面図を示す。
【図１２】補助ロックの隠蔽性の説明図を示す。
【図１３】遮蔽部を設けた引違いサッシの実施例を示す。
【符号の説明】
【００２５】
１      外枠（縦枠）
２      外枠（縦枠）
１０    外障子
１１    外障子の戸当框
１２、１２ｅ  外障子の召合框
１２ａ  受け溝（受け部）
１２ｂ  受け部（凹み状の受け部）
１２ｃ  外障子のパネル嵌合溝
１２ｄ  外障子の煙り返し片
１３    外障子のパネル
２０    内障子
２１    内障子の戸当框
２２    内障子の召合框
２２ａ  タイト材ホルダー部
２２ｂ  内障子の煙り返し片
２２ｃ  内障子のパネル嵌合溝
２２ｄ  内障子の召合框の中空状本体部
２２ｅ  内障子の召合框の操作摘み用孔
２２ｆ  タイト材
２２ｇ  遮蔽部
２３    内障子のパネル
３０    クレセント錠
４０    補助ロック
４１    操作部材
４１ａ  操作部材の本体部
４１ｂ  操作部材の本体部の長孔
４１ｃ  操作摘み
４１ｄ  デッドボルト案内部（案内ピン）
４１ｅ  デッドボルト収納部
４１ｆ、４１ｇ  操作部材の筐体部
４１ｈ  案内ピン用孔
４１ｉ  操作部材開口部
４２    デッドボルト
４２ａ  デッドボルトの先端部
４２ｂ  デッドボルト被案内部（被案内長孔）
４２ｃ  保持軸用孔
４３    ケース
４３ａ  収納部
４３ｂ  操作摘み突出用孔
４３ｃ  デッドボルト突出用孔
４３ｄ  デッドボルト保持部（保持軸）
４３ｅ  ケース保持軸用孔
４３ｆ、４３ｇ  ケースの筐体部
４４    化粧部材
４４ａ  摘み用孔
４５    係止部材
【図１】
2006144403.tif 000003
【図２】
2006144403.tif 000004
【図３】
2006144403.tif 000005
【図４】
2006144403.tif 000006
【図５】
2006144403.tif 000007
【図６】
2006144403.tif 000008
【図７】
2006144403.tif 000009
【図８】
2006144403.tif 000010
【図９】
2006144403.tif 000011
【図１０】
2006144403.tif 000012
【図１１】
2006144403.tif 000013
【図１２】
2006144403.tif 000014
【図１３】
2006144403.tif 000015